【手続補正書】
【提出日】平成19年2月7日(2007.2.7)
【手続補正１】
【補正対象書類名】明細書
【補正対象項目名】発明の名称
【補正方法】変更
【補正の内容】
【発明の名称】レトロフォーカスレンズ
【手続補正２】
【補正対象書類名】明細書
【補正対象項目名】特許請求の範囲
【補正方法】変更
【補正の内容】
【特許請求の範囲】  
【請求項１】  スクリーン側から、スクリーン側に凸面を向けた負のメニスカスレンズＬ1 ，Ｌ2 ，正の両凸レンズＬ3 ，スクリーン側に凹面を向けた負のメニスカスレンズＬ4 ，正の両凸レンズＬ5 ，スクリーン側に凸面を向けた負のメニスカスレンズＬ6 ，Ｌ7 ，正の凸レンズＬ8 および負の両凹レンズＬ9 よりなる発散レンズ系と、両凹レンズＬ9 から空気間隔ＤＤ１離れた負の両凹レンズＬ10，正の両凸レンズＬ11，両凸レンズＬ11から空気間隔ＤＤ２離れた正の両凸レンズＬ12，正の両凸レンズＬ13，スクリーン側に凹面を向けた負のメニスカスレンズＬ14，メニスカスレンズＬ14から空気間隔ＤＤ３離れたスクリーン側に凸面を向けた負のメニスカスレンズＬ15，正の両凸レンズＬ16，スクリーン側に凹面を向けた負のメニスカスレンズＬ17および正の両凸レンズＬ18よりなる収斂レンズ系とを含み、レンズの接合面を有することない１８群１８枚のレンズ群より構成されることを特徴とするレトロフォーカスレンズ。
【請求項２】  前記レンズＬ1 〜Ｌ6 を含む前群およびレンズＬ7 〜Ｌ9 を含む後群に分割されることを特徴とする請求項１に記載のレトロフォーカスレンズ。
【請求項３】  前記前群の合成焦点距離をＦ16，前記後群の合成焦点距離をＦ79およびレンズ系全体の焦点距離をＦとしたとき、
８．６  ＜｜Ｆ16／Ｆ｜＜  １２．８      ・・・（１）
４．２  ＜｜Ｆ79／Ｆ｜＜  ５．８        ・・・（２）
の条件を満たすことを特徴とする請求項２に記載のレトロフォーカスレンズ。
【請求項４】  前記前群のレンズのうち、少なくとも１枚以上の負のレンズのアッベ数νd は、
νd ＞６２                ・・・（３）
であり、かつ、凹面をスクリーン側に向けた負のレンズＬ4 のアッベ数νd は
νd ＜３６                ・・・（４）
であり、前記後群のレンズのうち、少なくとも２枚以上の負のレンズのアッベ数νd は
νd ＞６２                ・・・（５）
の条件を満たすことを特徴とする請求項２または３に記載のレトロフォーカスレンズ。
【請求項５】  前記レンズＬ9 からＬ10まで, レンズＬ11からＬ12まで, およびレンズＬ14からＬ15までの空気間隔をそれぞれＤＤ１，ＤＤ２およびＤＤ３としたとき、
３．２  ＜｜ＤＤ１／Ｆ｜＜  ４．２      ・・・（６）
３．７  ＜｜ＤＤ２／Ｆ｜＜  ５．０      ・・・（７）
１．５  ＜｜ＤＤ３／Ｆ｜＜  ２．３      ・・・（８）
の条件を満たすことを特徴とする請求項１乃至４のいずれか１に記載のレトロフォーカスレンズ。
【請求項６】  前記収斂レンズ系は、レンズＬ10，Ｌ11を含む第１群，レンズＬ12〜Ｌ14を含む第２群およびレンズＬ15〜Ｌ18を含む第３群に分割され、前記第１群は、焦点距離をＦ1011としたとき
｜Ｆ1011／Ｆ｜＞  ６０        ・・・（９）
かつ、前記第１群の負のレンズのアッベ数νd は
νd ＞６２                ・・・（１０）
前記第１群の正のレンズのアッベ数νd は
νd ＜３５                ・・・（１１）
なる条件を満たし、前記第２群におけるレンズのうち、少なくとも１個の正のレンズのアッベ数νd は
νd ＞７０                ・・・（１２）
なる条件を満たし、前記第３群のレンズのうち、負のレンズ屈折率をＮｄ、アッベ数をνd としたとき、
Ｎd ＞１．８              ・・・（１３）
νd ＜４０                ・・・（１４）
なる条件を満たすことを特徴とする請求項１乃至５のいずれか１に記載のレトロフォーカスレンズ。
【請求項７】  正のレンズのアッベ数をνd としたとき、
νd ＞８０                ・・・（１５）
なる条件を満たすことを特徴とする請求項１乃至６のいずれか１に記載のレトロフォーカスレンズ。
【請求項８】  スクリーン側から、前群および後群のレンズ系に分割され、前記前群の合成焦点距離をＦ16，前記後群の合成焦点距離をＦ79およびレンズ系全体の焦点距離をＦとしたとき、
８．６  ＜｜Ｆ16／Ｆ｜＜  １２．８      ・・・（１）
４．２  ＜｜Ｆ79／Ｆ｜＜  ５．８        ・・・（２）
の条件を満たすことを特徴とするレトロフォーカスレンズ。
【手続補正３】
【補正対象書類名】明細書
【補正対象項目名】０００７
【補正方法】変更
【補正の内容】
【０００７】
【課題を解決するための手段】
前記目的を達成するために本発明による請求項１のレトロフォーカスレンズは、スクリーン側から、スクリーン側に凸面を向けた負のメニスカスレンズＬ1 ，Ｌ2 ，正の両凸レンズＬ3 ，スクリーン側に凹面を向けた負のメニスカスレンズＬ4 ，正の両凸レンズＬ5 ，スクリーン側に凸面を向けた負のメニスカスレンズＬ6 ，Ｌ7 ，正の凸レンズＬ8 および負の両凹レンズＬ9 よりなる発散レンズ系と、両凹レンズＬ9 から空気間隔ＤＤ１離れた負の両凹レンズＬ10，正の両凸レンズＬ11，両凸レンズＬ11から空気間隔ＤＤ２離れた正の両凸レンズＬ12，正の両凸レンズＬ13，スクリーン側に凹面を向けた負のメニスカスレンズＬ14，メニスカスレンズＬ14から空気間隔ＤＤ３離れたスクリーン側に凸面を向けた負のメニスカスレンズＬ15，正の両凸レンズＬ16，スクリーン側に凹面を向けた負のメニスカスレンズＬ17および正の両凸レンズＬ18よりなる収斂レンズ系とを含み、レンズの接合面を有することない１８群１８枚のレンズ群より構成されている。
本発明による請求項２のレトロフォーカスレンズは、請求項１記載の発明において、前記レンズＬ1 〜Ｌ6 を含む前群およびレンズＬ7 〜Ｌ9 を含む後群に分割されるように構成されている。
本発明による請求項３のレトロフォーカスレンズは、請求項２記載の発明において、前記前群の合成焦点距離をＦ16，前記後群の合成焦点距離をＦ79およびレンズ系全体の焦点距離をＦとしたとき、
８．６  ＜｜Ｆ16／Ｆ｜＜  １２．８      ・・・（１）
４．２  ＜｜Ｆ79／Ｆ｜＜  ５．８        ・・・（２）
の条件を満たすように構成されている。
本発明による請求項４のレトロフォーカスレンズは、請求項２または３に記載の発明において、前記前群のレンズのうち、少なくとも１枚以上の負のレンズのアッベ数νd は、
νd ＞６２                ・・・（３）
であり、かつ、凹面をスクリーン側に向けた負のレンズＬ4 のアッベ数νd は
νd ＜３６                ・・・（４）
であり、
前記後群のレンズのうち、少なくとも２枚以上の負のレンズのアッベ数νd は
νd ＞６２                ・・・（５）
の条件を満たすように構成されている。
本発明による請求項５のレトロフォーカスレンズは、請求項１乃至４のいづれか１に記載の発明において、レンズＬ9 からＬ10まで, レンズＬ11からＬ12まで, およびレンズＬ14からL15 までの空気間隔をそれぞれＤＤ１，ＤＤ２およびＤＤ３としたとき、
３．２  ＜｜ＤＤ１／Ｆ｜＜  ４．２      ・・・（６）
３．７  ＜｜ＤＤ２／Ｆ｜＜  ５．０      ・・・（７）
１．５  ＜｜ＤＤ３／Ｆ｜＜  ２．３      ・・・（８）
の条件を満たすように構成されている。
本発明による請求項６のレトロフォーカスレンズは、請求項１乃至５のいづれか１に記載の発明において、前記収斂レンズ系は、レンズＬ10，Ｌ11を含む第１群，レンズＬ12〜Ｌ14を含む第２群およびレンズＬ15〜Ｌ18を含む第３群に分割され、
前記第１群は、焦点距離をＦ1011としたとき
｜Ｆ1011／Ｆ｜＞  ６０        ・・・（９）
かつ、前記第１群の負のレンズのアッベ数νd は
νd ＞６２                ・・・（１０）
前記第１群の正のレンズのアッベ数νd は
νd ＜３５                ・・・（１１）
なる条件を満たし、
前記第２群におけるレンズのうち、少なくとも１個の正のレンズのアッベ数νd は
νd ＞７０                ・・・（１２）
なる条件を満たし、
前記第３群のレンズのうち、負のレンズ屈折率をＮｄ、アッベ数をνd としたとき、
Ｎd ＞１．８              ・・・（１３）
νd ＜４０                ・・・（１４）
なる条件を満たすように構成されている。
本発明による請求項７のレトロフォーカスレンズは、請求項１乃至６のいづれか１に記載の発明において、正のレンズのアッベ数をνd としたとき、
νd ＞８０                ・・・（１５）
なる条件を満たすように構成されている。
本発明による請求項８のレトロフォーカスレンズは、スクリーン側から、前群および後群のレンズ系に分割され、前記前群の合成焦点距離をＦ16，前記後群の合成焦点距離をＦ79およびレンズ系全体の焦点距離をＦとしたとき、
８．６  ＜｜Ｆ16／Ｆ｜＜  １２．８      ・・・（１）
４．２  ＜｜Ｆ79／Ｆ｜＜  ５．８        ・・・（２）
の条件を満たすように構成されている。
【手続補正４】
【補正対象書類名】明細書
【補正対象項目名】００２１
【補正方法】変更
【補正の内容】
【００２１】
【発明の効果】
以上説明したように本発明は、照明光束の取り込み用プリズム系や色分解プリズム系が投影レンズの後側（ＤＭＤ側）に入るため長大な空気間隔を必要とする。本発明は、このような条件に対応可能であるとともに、光学性能が極めて良くなるように、収差が補正されている。そしてテレセントリック光学系であるにもかかわらず、超広角であり、像面湾曲や歪曲収差が十分に補正されている。
したがって、非常に明るい、歪の少ない、大画面の高画質な投影画像が極めて近距離の投影で得ることができる。バックフォーカスが非常に長いレトロフォーカスレンズを実現できる。当然リアープロジェクションレンズとしても利用可能である。
また、第２の実施の形態からＴＶディストーションがほとんどない投影像も得られる。したがって、境界線がほとんど判らないマルチスクリーンの形成が可能である。